(57)【要約】【課題】携帯電話機上でユーザが希望する表示データを画像化して記憶装置に保存する携帯電話機およびその画像表示方法を提供する。【解決手段】携帯電話機１０は、ユーザ入力処理部１１、各種処理部１２、表示制御部１３、画像変換部１４、記憶装置１５およびＬＣＤ等の画像表示部１６を備える。画像表示部１６に待受画面やメニュー画面として表示される画像データを、ユーザのコピー動作で抽出して取り込み、画像変換部１４でＪＰＥＧファイル等にフォーマット変換して記憶装置１５に保存登録する。この保存された複数の画像データを適宜読み出して表示する。【選択図】          図１
2004274566.tif 000002
【特許請求の範囲】
【請求項１】
キーボード等のユーザ入力処理部および液晶表示装置等の表示部を備え、基地局を介して無線通信する携帯電話機において、
前記ユーザ入力処理部より出された実行命令を処理する各種処理部と、該各種処理部から出される処理要求に基づいて前記表示部に表示データを渡す表示制御部と、ユーザのコピー要求に基づき前記表示部の表示データを取得して所定のフォーマットに画像変換する画像変換部と、該画像変換部で変換された画像データを保存する記憶装置とを備えることを特徴とする携帯電話機。
【請求項２】
前記記憶装置に保存された画像データを、待受画面等として前記表示部に表示することを特徴とする請求項１に記載の携帯電話機。
【請求項３】
前記画像データは、前記画像変換部によりＪＰＥＧファイルとして前記記憶装置に保存されることを特徴とする請求項１又は２に記載の携帯電話機。
【請求項４】
前記画像データは、自己の携帯電話機に搭載されたカメラで撮影されることを特徴とする請求項１、２又は３に記載の携帯電話機。
【請求項５】
前記画像データは、無線通信により基地局から受信する画像から選択されることを特徴とする請求項１、２又は３に記載の携帯電話機。
【請求項６】
基地局を介して無線通信により音声や画像データを送受信する携帯電話機の表示部に画像データ等を表示する携帯電話機の画像表示方法において、
前記自己の携帯電話機により作成した又は他の携帯電話機等から受信した画像データを選択し、該選択された画像データを所定のフォーマットに変換して保存し、該保存された画像データを選択して待受画面やメニュー画面として表示することを特徴とする携帯電話機の画像表示方法。
【請求項７】
前記保存された画像データの一部又は全部を無線通信により他の携帯電話機又はパーソナルコンピュータ（ＰＣ）へ転送することを特徴とする請求項６に記載の携帯電話機の画像表示方法。
【発明の詳細な説明】
【０００１】
【発明の属する技術分野】
本発明は携帯電話機に関し、特に待受時等にその表示画面に表示される表示画像をユーザが任意に作成して保存および選択表示可能にする携帯電話機およびその画像表示方法に関する。
【０００２】
【従来の技術】
携帯電話機（又は携帯電話端末）は、通信技術および半導体集積技術の進歩により小型軽量化されると共に関連デバイス技術の進歩により高性能化し、急速に普及している。現在では、携帯電話機のユーザは、単なる音声による通信手段としてのみならず、電子メール等の文字による情報通信手段、インターネット等のネットワークにアクセスして情報検索等を行う情報検索手段および内蔵されたＣＣＤ（電荷結合素子）を使用した画像通信手段等として使用している。
【０００３】
このように、携帯電話機は、最近著しく発展／進化している。また、ＣＣＤカメラの搭載により、カメラ撮影および画像加工処理等の画像データへの要求が一段と高まっている。更に、待受画面、メニュー画面、文字入力画面等は、メーカーが提供している画面のみでは飽き足らず、ユーザ独自の個性的な画像データが要求されるようになっている。
【０００４】
携帯電話機に関し、多数の従来技術が開示されている。複数の壁紙の画像（例えば、野球の画像、車の画像および時計表示）を予め記憶部に記憶しておき、ユーザがキー操作する毎に、これらの壁紙画像を順次切り換えて待受画像とする携帯型通信端末が開示されている（例えば、特許文献１参照。）。また、表示部に描画エリアおよびツールボックスを用意し、操作部の操作により、ツールボックスの各種ツールを使用して描画エリアにユーザが任意の画像を作成してＲＡＭ（ランダムアクセスメモリ）に記憶して個性的な画像データを送信可能にする携帯電話機および携帯電話機を使用した画像閲覧システムが開示されている（例えば、特許文献２参照）。
【０００５】
【特許文献１】
特開２００２−３００２４１号公報（第３頁、第１図―第３図）
【特許文献２】
特開２００２−３１９９９８号公報（第３頁、第１図ー第２図）
【０００６】
【発明が解決しようとする課題】
しかし、上述した特許文献１に開示される従来技術では、予めメーカーが用意して記憶部に記憶された複数の画像がユーザにより選択可能であるのみであって、ユーザが希望する画像を任意に抽出して記憶することはできない。また、特許文献２に開示される従来技術は、表示部をマトリクス状の描画エリアとして、各種ツールを使用して画像データを作成するので、ユーザが希望する任意の画像データを得るのは時間を要し、困難である。
【０００７】
【発明の目的】
本発明は、従来技術の上述した課題に鑑みなされたものであり、ユーザが希望する複数の画像を容易に抽出して保存登録し、これら登録されえた画像データを必要時に選択的に読み出して画像表示部に表示可能にする携帯電話機およびその画像表示方法を提供することを目的とする。
【０００８】
【課題を解決するための手段】
前述の課題を解決するため、本発明による携帯電話機およびその画像表示方法は次のような特徴的な構成を採用している。
【０００９】
（１）キーボード等のユーザ入力処理部および液晶表示装置等の表示部を備え、基地局を介して無線通信する携帯電話機において、
前記ユーザ入力処理部より出された実行命令を処理する各種処理部と、該各種処理部から出される処理要求に基づいて前記表示部に表示データを渡す表示制御部と、ユーザのコピー要求に基づき前記表示部の表示データを取得して所定のフォーマットに画像変換する画像変換部と、該画像変換部で変換された画像データを保存する記憶装置とを備える携帯電話機。
【００１０】
（２）前記記憶装置に保存された画像データを、待受画面等として前記表示部に表示する上記（１）の携帯電話機。
【００１１】
（３）前記画像データは、前記画像変換部によりＪＰＥＧファイルとして前記記憶装置に保存される上記（１）又は（２）の携帯電話機。
【００１２】
（４）前記画像データは、自己の携帯電話機に搭載されたカメラで撮影される上記（１）、（２）又は（３）の携帯電話機。
【００１３】
（５）前記画像データは、無線通信により基地局から受信する画像から選択される上記（１）、（２）又は（３）の携帯電話機。
【００１４】
（６）基地局を介して無線通信により音声や画像データを送受信する携帯電話機の表示部に画像データ等を表示する携帯電話機の画像表示方法において、
前記自己の携帯電話機により作成した又は他の携帯電話機等から受信した画像データを選択し、該選択された画像データを所定のフォーマットに変換して保存し、該保存された画像データを選択して待受画面やメニュー画面として表示する携帯電話機の画像表示方法。
【００１５】
（７）前記保存された画像データの一部又は全部を無線通信により他の携帯電話機又はパーソナルコンピュータ（ＰＣ）へ転送する上記（６）の携帯電話機の画像表示方法。
【００１６】
【発明の実施例】
以下、本発明による携帯電話機およびその画像表示方法の好適実施形態の構成および動作を、添付図面を参照して詳細に説明する。
【００１７】
先ず、図１は、本発明による携帯電話機の好適実施形態の主要部を示す構成図である。この携帯電話機１０は、ユーザ入力処理部１１、各種処理部１２、表示制御部１３、画像変換部１４、記憶装置１５およびＬＣＤ（液晶表示装置）等の表示部（以下、ＬＣＤ表示部という）１６により構成される。尚、この携帯電話機１０は、図示しない基地局を介して携帯又は固定電話とマイクロ波による無線信号の送受信を行うアンテナ等を備えている。
【００１８】
次に、図１に示す携帯電話機１０を構成する各構成要素１１〜１６の主要機能を説明する。ユーザ入力処理部１１は、携帯電話機１０を所持又は操作するユーザ（使用者）からのキー入力等に応じて各構成要素に実行命令を出す。各種処理部１２は、文字入力やメニューの表示等ユーザ入力処理部１１より出された実行命令に従って処理を行う。
【００１９】
表示制御部１３は、各種処理部１２から出される表示要求に基づきＬＣＤ表示部１６に表示データを渡す。また、各種処理部１２よりＬＣＤ表示部１６の表示データをコピーするコピー要求が来たとき、この表示データをＬＣＤ表示部１６より取得して画像変換部１４へ受け渡す。画像変換部１４は、各種処理部１２より要求されたデータを記憶装置１５に記憶できる画像フォーマットに変換する。
記憶装置１５は、例えばＩＣ（半導体集積回路）メモリであって、画像変換部１４にて所定のフォーマットに変換された画像データを保存（記憶）する。尚、この画像データは、自己の携帯電話機１０に搭載されたＣＣＤカメラ（図示せず）で撮影され又は基地局を介して他の移動機（携帯電話機）又はＰＣ等から受信する。
【００２０】
次に、図１に示す本発明の携帯電話機１０の好適実施形態の動作を、図２および図３を参照して詳細に説明する。ここで、図２は、携帯電話機１０の動作を示すフローチャートである。図３は、図１の携帯電話機１０を図２のフローに従って処理させる場合のデータ流れを示す説明図である。
【００２１】
各種処理部１２で各種処理（例えば、文字入力やメニュー表示およびコンテンツ表示等）を実施した際に、ユーザから携帯電話機１０のユーザ入力処理部１１のメニューおよびボタン操作等により、図１のＬＣＤ表示部１６の表示についてコピー動作を選択する。そこで、図２のフローチャートに従い、ＬＣＤ表示部１６より表示データを抽出すると共に画像データ化して記憶装置１５に記憶する。
【００２２】
即ち、先ず、各種処理部１２で各種処理を行う（ステップＳ１）。その処理がＬＣＤ表示部１６への表示処理であると、ＬＣＤ表示処理を行う（ステップＳ２）。次に、ユーザが画面コピーしたい場合には、ＣＬＤ表示部１６の表示についてコピー動作を指示する（ステップＳ３）。そこで、ＬＣＤ表示部１６より表示データを抽出する（ステップＳ４）。更に、画像変換部１４により所定のフォーマットに変換して画像データ化する（ステップＳ５）。最後に、この画像データを記憶装置１５に記憶、即ち画像登録（ステップＳ６）して処理を終了する。
【００２３】
次に、図３について説明する。最も左に、ＬＣＤ表示部１６の表示データ（図中ＬＣＤ）を示す。その右に、表示制御部１３によりＬＣＤ表示部１６から抽出された表示データ（ＹＵＶデータ）を示す。更にその右に、画像変換部１４により所定フォーマットに変換された画像データ（例えば、ＪＰＥＧファイル）を示す。そして、最も右に、記憶装置１５に記憶された登録画像データ（ＪＰＥＧファイル）を示す。図３中には、データのフローを、処理順序に従って矢印で示している。ここで、ＪＰＥＧ（Ｊｏｉｎｔ  Ｐｈｏｔｏｇｒａｐｈｉｃ  Ｅｘｐｅｒｔｓ  Ｇｒｏｕｐ）は、ＩＳＯとＩＴＵ−Ｔの共同作業グループにより規格化された静止画像圧縮の国際標準方式である。
【００２４】
尚、上述した好適実施形態では、携帯電話機１０上で希望する表示データを画像化して画像データとして記憶装置１５に記憶している。しかし、取得できる画像データを携帯電話機１０の無線通信にて他の移動機又はパーソナルコンピュータ（ＰＣ）へ転送することにより、他のユーザへのデータ展開が可能である。
【００２５】
以上、本発明による携帯電話機およびその画像表示方法の好適実施形態の構成および動作を詳述した。しかし、斯かる実施形態は、本発明の単なる例示に過ぎず、何ら本発明を限定するものではない。本発明の要旨を逸脱することなく、特定用途に応じて種々の変形変更が可能であること、当業者には容易に理解できよう。
【００２６】
【効果の説明】
以上の説明から理解される如く、本発明によると、次の如き実用上の顕著な効果が得られる。即ち、携帯電話機での全てのＬＣＤ表示（文字入力画面やメニュー画面等）を、ユーザの任意で画像データ化して記憶装置に記憶登録することが可能である。また、取得した画像データについて携帯電話機上で任意に設定項目として選択でき待受画面等で使用することが可能である。更に、画像データを無線通信により他の移動機又はＰＣ等へ転送して他のユーザへのデータ展開が可能である。
【図面の簡単な説明】
【図１】本発明による携帯電話機の好適実施形態の主要構成を示すブロック図である。
【図２】図１に示す携帯電話機の動作を示すフローチャートである。
【図３】図２の動作における処理とデータのフローを示す説明図である。
【符号の説明】
１０  携帯電話機
１１  ユーザ入力処理部
１２  各種処理部
１３  表示制御部
１４  画像変換部
１５  記憶装置
１６  画像表示部（ＬＣＤ表示部）
【図１】
2004274566.tif 000003
【図２】
2004274566.tif 000004
【図３】
2004274566.tif 000005